(57)【要約】      （修正有）【課題】所望の熱放散性能を有する発光ダイオード(ＬＥＤ)ランプを提供する。【解決手段】管状ランプシェード１１０の長さ方向に沿って延在するスペーサ１７０は、スペースＳ内に配置される。スペーサは、第１表面１７２および第２表面１７４を有し、管状ランプシェードは、第１スロット１１２および第２スロットを有する。第１ＬＥＤ光源１２０は、第１表面上に配置される。第１ディフューザ１３０は、第１スロット内に配置され、第１ホールが第１ディフューザに形成される。第２ＬＥＤ光源１４０は、第２表面上に配置される。第２ディフューザ１５０は、第２スロット内に配置される。２つのカバーは、管状ランプシェードの２つの端部それぞれに配置され、各カバーは第２ホールを有する。【選択図】図１
0003150320.tif 000002
【実用新案登録請求の範囲】
【請求項１】
管状ランプシェードと、第１発光ダイオード(ＬＥＤ)光源と、第１ディフューザと、第２ＬＥＤ光源と、第２ディフューザと、２つのカバーとを具え、
前記管状ランプシェードにはスペースが設けられ、該スペース内に、前記管状ランプシェードの長さ方向に沿って延在するスペーサが配置され、該スペーサは、第１表面および第２表面を有し、前記管状ランプシェードは、前記第１表面に対応する第１スロットおよび前記第２表面に対応する第２スロットを有し、
前記第１ＬＥＤ光源は、前記第１表面上に配置され、
前記第１ディフューザは、前記第１スロット内に配置され、少なくとも１つの第１ホールが設けられ、
前記第２ＬＥＤ光源は、前記第２表面上に配置され、
前記第２ディフューザは、前記第２スロット内に配置され、
前記２つのカバーは、前記管状ランプシェードの両端部にそれぞれ配置され、各カバーには、少なくとも１つの第２ホールが設けられる
ことを特徴とするランプ。
【請求項２】
前記第１ＬＥＤ光源が動作中に熱を発生し、これによって、前記スペースと外部環境との間に空気対流が発生し、該空気対流の間、外部空気は、前記２つのカバー上の第２ホールを通って前記スペースに流入し、前記第１ディフューザ上の第１ホールから外部に流出する請求項１に記載のランプ。
【請求項３】
前記第２ＬＥＤ光源は、前記第２ディフューザが白色照明光を出力するように、前記第２ディフューザに白色光を放射する請求項１に記載のランプ。
【請求項４】
前記第１ＬＥＤ光源は、前記第１ディフューザに白色光を放射し、前記第１ディフューザは、カラーフィルタとして、副次的なカラー光を出力する請求項１に記載のランプ。
【請求項５】
前記第１ＬＥＤ光源は、前記第１ディフューザにカラー光を放射し、前記第１ディフューザは、透明フィルタとして、副次的なカラー光を出力する請求項１に記載のランプ。
【請求項６】
停止部が配置され、該停止部は、前記管状ランプシェードの前記第１スロットの内端部から突出し、かつ第１ディフューザの底部を支持する請求項１に記載のランプ。
【請求項７】
前記管状ランプシェードの第２スロットは、前記管状ランプシェードの２つの端部まで延在し、スライドレールが前記第２スロットの内端部上に形成され、前記第２ディフューザは、前記スライドレール上に移動可能に配置される請求項１に記載のランプ。
【請求項８】
ベースと、
該ベースおよび前記管状ランプシェードの間で接続される接続ロッドと
をさらに具える請求項１に記載のランプ。
【請求項９】
前記スペーサの第１表面上に配置されるウエイトブロックをさらに具え、前記接続ロッドは、前記管状ランプシェードを貫通し、前記ウエイトブロックに固定される請求項８に記載のランプ。
【請求項１０】
スライディング溝が前記スペーサの第１表面上に形成され、前記ウエイトブロックは、前記スライディング溝内に配置される請求項９に記載のランプ。
【請求項１１】
前記スペーサおよび前記ウエイトブロックを貫通し、かつ固定する複数本のねじをさらに具える請求項１０に記載のランプ。
【請求項１２】
前記ベースが、その上に形成された開口部を有する中空シェルであり、前記接続ロッドは前記開口部を貫通し、停止ブロックが、前記中空シェル内で前記接続ロッドの端部に配置され、前記開口部の周辺端部に支えられる請求項８に記載のランプ。
【請求項１３】
前記２つのカバー上にそれぞれ配置される２つのパターン化された要素をさらに具える請求項１に記載のランプ。
【考案の詳細な説明】
【技術分野】
【０００１】
本考案は、一般にランプに関し、特に、光源としてＬＥＤを用いるランプに関する。
【背景技術】
【０００２】
発光ダイオード(ＬＥＤ)は、半導体デバイスである。ＬＥＤの発光チップは、主に、例えばGaPまたはGaAsなどのIII-Ｖ族元素の化合物から形成される。ＬＥＤの発光原理は、電気エネルギーを光エネルギーに変換することである。特に、ＬＥＤは、化合物半導体に電流を適用し、過剰なエネルギーを、電子および正孔の組合せによる光の形で放出する。ＬＥＤの発光現象は、熱または放電によって得られるものではないので、ＬＥＤの寿命は１０万時間を超えるまでに達している。加えて、ＬＥＤは、高反応速度、小サイズ、低電力消費、低汚染および高信頼性を有し、さらに、大量生産に適している点で有利でもある。したがって、ＬＥＤは、広く適用され、例えば大型ディスプレイ掲示板、信号機、携帯電話、スキャナ、ファクシミリ等のための光源および照明ランプを含む。
【０００３】
近年、光度および能率の継続的な増加のため、次第にＬＥＤは照明ランプに適用されてきた。一般に、高出力ＬＥＤはすべて熱放散の問題を有する。ＬＥＤが過剰に高温条件で動作する場合、その光度は減衰するおそれがあり、その寿命もまた短くなるであろう。したがって、ＬＥＤランプの熱放散設計は、すでにこの分野の研究者によって注目される重要な問題となっていた。
【考案の概要】
【考案が解決しようとする課題】
【０００４】
したがって、本考案は、所望の熱放散性能を有する発光ダイオード(ＬＥＤ)ランプを対象とする。
【課題を解決するための手段】
【０００５】
ここで具体化され、広く記載されるように、本考案は、スペースを有する管状ランプシェード、第１ＬＥＤ光源、第１ディフューザ、第２ＬＥＤ光源、第２ディフューザおよび２つのカバーを含むランプを提供する。管状ランプシェードの長さ方向に沿って延在するスペーサは、スペース内に配置される。スペーサは、第１表面および第２表面を有し、管状ランプシェードは、第１スロットおよび第２スロットを有する。第１ＬＥＤ光源は、第１表面上に配置される。第１ディフューザは、第１スロット内に配置され、第１ホールが第１ディフューザに形成される。第２ＬＥＤ光源は、第２表面上に配置される。第２ディフューザは、第２スロット内に配置される。２つのカバーは、管状ランプシェードの２つの端部それぞれに配置され、各カバーは第２ホールを有する。
【０００６】
本考案の実施形態において、第１ＬＥＤ光源は動作中に熱を発生し、これによって、スペースと外部環境との間に空気対流が発生する。空気対流の間、外部空気は、２つのカバー上の第２ホールを通ってスペースに流入し、第１ディフューザ上の第１ホールから外部に流出する。
【０００７】
本考案の実施形態において、第２ディフューザが白色照明光を出力し、第２ＬＥＤ光源は、第２ディフューザに白色光を放射する。
【０００８】
本考案の実施形態において、第１ＬＥＤ光源は、第１ディフューザに白色光を放射し、第１ディフューザは、カラーフィルタとして、副次的なカラー光を出力する。
【０００９】
本考案の実施形態において、第１ＬＥＤ光源は、第１ディフューザにカラー光を放射し、第１ディフューザは、透明フィルタとして、副次的なカラー光を出力する。
【００１０】
本考案の実施形態において、停止部が配置され、この停止部は、管状ランプシェードの第１スロットの内端部から突出し、かつ第１ディフューザの底部を支持する。
【００１１】
本考案の実施形態において、管状ランプシェードの第２スロットは、管状ランプシェードの２つの端部まで延在し、スライドレールが第２スロットの内端部上に形成され、第２ディフューザは、スライドレール上に移動可能に配置される。
【００１２】
本考案の実施形態において、ランプは、ベースおよび接続ロッドを含む。接続ロッドは、ベースと管状ランプシェードとの間で接続される。
【００１３】
本考案の実施形態において、ランプは、スペーサの第１表面上に配置されるウエイトブロックをさらに含む。接続ロッドは管状ランプシェードを貫通し、ウエイトブロックに固定される。
【００１４】
本考案の実施形態において、スライディング溝がスペーサの第１表面上に形成され、ウエイトブロックは、スライディング溝内に配置される。
【００１５】
本考案の実施形態において、ランプは、スペーサおよびウエイトブロックを貫通してウエイトブロックをスペーサにロックする複数本のねじをさらに含む。
【００１６】
本考案の実施形態において、ベースが、その上に形成された開口部を有する中空シェルであり、接続ロッドは開口部を貫通し、停止ブロックが、中空シェル内で接続ロッドの端部に配置され、開口部の周辺端部に支えられる。
【００１７】
本考案の実施形態において、ランプは、２つのカバー上にそれぞれ配置される２つのパターン化された要素をさらに含む。
【考案の効果】
【００１８】
上述したとおり、本考案のランプは、空気が流入および流出するための複数のホールを有し、それ故に、動作中のランプの空気対流効果は改善される。したがって、本考案のランプは、より良い熱放散性能を達成する。
【図面の簡単な説明】
【００１９】
添付図面は、本考案のより良い理解を提供するために含まれ、この明細書の一部に組み込まれ、この明細書の一部を構成する。図面は、本考案の実施形態を示し、考案の詳細な説明と一緒に、本考案の原理を説明するのに役立つ。
【００２０】
【図１】本考案の実施形態に従うランプの分解斜視図である。
【図２】図１に示すランプの斜視図である。
【図３】図１に示すランプの部分的な側面図である。
【考案を実施するための形態】
【００２１】
本考案の実施形態を詳細に説明するために、ここで参照符号が用いられ、添付図面にはその例が示されている。同一または同様の部材に言及するために、図面および考案の概要において、可能な限り同じ参照符号が用いられている。
【００２２】
図１は、本考案の実施形態に従うランプの分解斜視図である。図２は、図１に示すランプの斜視図である。図１および図２によれば、この実施形態のランプ１００は、スペースＳを有する管状ランプシェード１１０、第１ＬＥＤ光源１２０、第１ディフューザ１３０、第２ＬＥＤ光源１４０、第２ディフューザ１５０、および２つのカバー１６０を含む。管状ランプシェード１１０の長さ方向に沿って延在するスペーサ１７０は、スペースＳ内に配置される。
【００２３】
スペーサ１７０は、第１表面１７２および第２表面１７４を有し、管状ランプシェード１１０は、第１スロット１１２および第２スロット１１４を有する。第１ＬＥＤ光源１２０は、第１表面１７２上に配置される。第１ディフューザ１３０は、第１スロット１１２内に配置され、第１ホール１３２が第１ディフーザ１３０に形成される。第２ＬＥＤ光源１４０は、第２表面１７４上に配置される。第２ディフューザ１５０は第２スロット１１４内に配置される。２つのカバー１６０は、管状ランプシェード１１０の２つの端部１１６にそれぞれ配置され、各カバー１６０は、第２ホール１６２を有する。
【００２４】
この実施形態において、第１ＬＥＤ光源１２０は、動作中に熱を発生し、スペースＳと外部環境との間に空気対流を生じさせる。空気対流の間、外部空気は２つのカバー１６０上の第２ホール１６２を通ってスペースＳに流入し、第１ディフューザ１３０上の第１ホール１３２から外部へ流出する。使用者は、第１ホール１３２が上方を向くようランプ１００を配置するために、角度を適切に調整することができるということに留意すべきである。このように、ランプ１００の空気対流効率は、熱風上昇原理を利用することによって高められ、それ故に、ランプ１００の熱放散性能もまた改善される。
【００２５】
第２ＬＥＤ光源１４０は、第２ディフーザ１５０が白色照明光Ｌ１を出力できるように、第２ディフューザ１５０に白色光を放射する。照明に加えて、この実施形態のランプ１００は、ある種の雰囲気を作り出すのに用いられることもできる。第１ＬＥＤ光源１２０が第１ディフューザ１３０に白色光を放射する場合、第１ディフューザ１３０は、カラーフィルタとして、副次的なカラー光(color circumstantial light)Ｌ２を出力する。第１ディフューザ１３０および第２ディフューザ１５０は、それぞれランプ１００による白色照明光Ｌ１および副次的なカラー光Ｌ２の出力を均一とすることができる。
【００２６】
もちろん、本考案の副次的なカラー光の出力は、上述した方法に限定されるものではなく、例えば透明ブロックと一緒にカラー光源を用いることによって達成することもできる。例えば、本考案の代案の実施形態において、第１ＬＥＤ光源１２０は、第１ディフューザ１３０にカラー光を放射し、その一方で、第１ディフューザは、透明フィルタとして、副次的なカラー光Ｌ２を出力する。
【００２７】
図１を参照すると、この実施形態において、第１ディフューザ１３０の位置を固定するために、停止部１１２ａが配置され、これは管状ランプシェード１１０の第１スロット１１２の内端部から突出し、そして第１ディフューザ１３０の底部を支持する。第２スロット１１４は、管状ランプシェード１１０の２つの端部１１６まで延在し、スライドレール１１４ａは、第２スロット１１４の内端部上に形成され、第２ディフューザ１５０はスライドレール１１４ａ上で移動可能に配置される。
【００２８】
図２を参照すると、この実施形態において、ランプ１００はベース１８０および接続ロッド１９０をさらに含む。接続ロッド１９０は、ベース１８０と管状ランプシェード１１０との間で接続され、ベース１８０は建物の天井または壁に接続されることができる。接続ロッド１９０は、例えば、管状ランプシェード１１０の高さを調節するために伸縮可能な伸張ロッドである。さらにまた、図１を参照すると、ベース１８０は、その上に形成された開口部１８２を有する中空シェル(hollow shell)である。接続ロッド１９０は、開口部１８２の周辺端部に支えられるように、開口部１８２を貫通し、停止ブロック１９２は中空シェル内で接続ロッド１９０の端部に配置され、これにより、管状ランプシェード１１０は、ベース１８０に対して、接続ロッド１９０のスピンを利用して回転することができるようになる。
【００２９】
図３は、図１に示すランプの部分的な側面図である。図１および図３を参照すると、この実施形態において、ランプ１００は、スペーサ１７０の第１表面１７２上に配置されたウエイトブロックＢをさらに含み、接続ロッド１９０は、管状ランプシェード１１０を貫通し、ウエイトブロックＢに固定される。ウエイトブロックＢは、ランプ１００の重さのバランスをとるために用いられることができる。さらにまた、スライディング溝１７２ａは、スペーサ１７０の第１表面１７２上に形成され、ウエイトブロックＢは、スライディング溝１７２ａ内に配置される。
【００３０】
図１によれば、ランプ１００は、スペーサ１７０およびウエイトブロックＢを貫通する複数本のねじＦをさらに含み、ウエイトブロックＢをスペーサ１７０にロックし、すべての構造がより安定したものとなるようにする。また、この実施形態のランプ１００は、それぞれ２つのカバー１６０上に配置される２つのパターン化された要素Ｄをさらに含む。パターン化された要素Ｄは、例えば装飾用パターンまたはラベルである。
【産業上の利用可能性】
【００３１】
上述したところによると、本考案のランプは、空気が流入または流出するための複数のホールを有する管状ランプシェードを有し、それ故に、動作中のランプの空気対流効率が改善される。加えて、本考案のランプは、照明光および副次的な光をそれぞれ出力することができ、したがって照明および特別な雰囲気を作り出すために用いることができる。
【００３２】
当業者であれば、本考案の範囲または思想から逸脱することなく、本考案の構成からさまざまな修正例および変形例を作り出すことができるということは明らかであろう。前述したとおり、本考案は、実用新案登録請求の範囲およびその均等の範囲内における修正および変形をカバーすることを目的とする。
【図１】
0003150320.tif 000003
【図２】
0003150320.tif 000004
【図３】
0003150320.tif 000005